(57)【要約】【課題】リム吐水における気泡混入の抑制と水勢の向上との両立を実現することができる水洗大便器を提供する。【解決手段】本発明の水洗大便器１は、便器本体２と、タンク供給部１６ｂを備えた洗浄水タンク装置１６と、を有し、便器本体は、ボウル１０と、後方側導水路４と、リムのみに設けられてボウル内に洗浄水を吐水して旋回流を形成する吐水部２０，２２と、後方側導水路内の洗浄水を吐水部に導くリム導水路６，８と、を備えており、後方側導水路は、タンク供給部が接続される入口４ａと、この入口の下方に設けられてタンク供給部から入口を経て供給された洗浄水を整流化する整流部３０と、この整流部の下流側に形成されてリム導水路と連通するように下方に傾斜する傾斜部３２と、を備え、整流部は、その流路断面積Ａ２が傾斜部の流路断面積Ａ３よりも小さくなるように設定されていると共に、その流路がほぼ水平になるように形成されている。【選択図】図４
2019137994.tif 000002
【特許請求の範囲】
【請求項１】
洗浄水源から供給される洗浄水によって洗浄されて汚物を排出する水洗大便器であって、
便器本体と、
上記洗浄水源として上記便器本体の上面後方側に設けられ、洗浄水を貯水する洗浄水タンクであって、その底面の排水口を含む流路を形成するタンク供給部を備え、このタンク供給部から上記便器本体に洗浄水を供給する上記洗浄水タンクと、を有し、
上記便器本体は、ボウル形状の汚物受け面と、この汚物受け面の上縁に形成されたリムと、を備えたボウルと、
上記ボウルの後方に形成され、上記タンク供給部から供給された洗浄水を上記ボウルの後方に導く後方側導水路と、
上記リムのみに設けられて上記ボウル内に洗浄水を吐水して旋回流を形成する吐水部と、
上記後方側導水路の下流側に形成され、上記後方側導水路内の洗浄水を上記吐水部に導くリム導水路と、
上記ボウルの下方に接続されて汚物を排出する排水路と、を備えており、
上記後方側導水路は、上記タンク供給部が接続される入口部と、この入口部の下方に設けられて上記タンク供給部から上記入口部を経て供給された洗浄水を整流化する整流部と、この整流部の下流側に形成されて上記リム導水路と連通するように下方に傾斜する傾斜部と、を備え、
上記整流部は、その流路断面積が上記傾斜部の流路断面積よりも小さくなるように設定されていると共に、その流路がほぼ水平になるように形成されていることを特徴とする水洗大便器。
【請求項２】
上記後方側導水路の整流部の流路断面積は、上記タンク供給部の流路断面積よりも小さくなるように設定されている請求項１記載の水洗大便器。
【請求項３】
上記後方側導水路の傾斜部の底面の最低位置から上記整流部の上面までの鉛直方向直線上の距離（Ｈ１）に対する同一鉛直方向直線上の上記整流部における底面から上面までの距離（Ｈ２）の比（Ｈ２／Ｈ１）は、上記傾斜部における底面の最低位置から上面までの鉛直方向直線上の距離（Ｈ３）に対する同一鉛直方向直線上の上記傾斜部における底面から上面までの鉛直方向の距離（Ｈ４）の比（Ｈ４／Ｈ３）よりも小さくなるように設定されている請求項２記載の水洗大便器。
【請求項４】
上記後方側導水路の傾斜部は、上記整流部に接続される入口から上記リム導水路に接続される出口に向かって下方に傾斜しており、上記傾斜部の底面が水平面に対して下方に傾斜する傾斜角度は、上記傾斜部の上面が水平面に対して下方に傾斜する傾斜角度よりも大きくなるように設定されている請求項１乃至３の何れか１項に記載の水洗大便器。
【請求項５】
上記吐水部は、上記ボウルの前後方向の中心よりも前方側領域の上記リムに配置されて前方へ吐水し、上記後方側導水路の整流部及び傾斜部は、平面視において互いに前後方向に直線状に設けられている請求項１乃至４の何れか１項に記載の水洗大便器。
【請求項６】
上記リム導水路は、その入口部の流路断面積が上記吐水部の流路断面積よりも小さくなるように設定され、上記リム導水路の底面は、上記リム導水路の入口部から上記吐水部に向って下方に傾斜するように形成されている請求項１乃至５の何れか１項に記載の水洗大便器。
【請求項７】
上記吐水部は、上記ボウルの前後方向及び左右方向の中心に対して左右方向の一方側且つ前方側の上記リムに配置されると共に上記ボウルの前方へ向けて洗浄水を吐水して旋回流を形成する第１リム吐水部と、上記ボウル部の前後方向及び左右方向の中心に対して左右方向の他方側且つ後方側の上記リムに配置されると共に上記第１リム吐水部からの旋回流と同一方向の旋回流を形成する第２リム吐水部と、を備え、
上記リム導水路は、上記後方側導水路内の洗浄水を上記第１リム吐水部及び上記第２リム吐水部のそれぞれに導く第１リム導水路及び第２リム導水路をそれぞれ備え、
上記整流部の流路断面積は、上記第１リム吐水部の流路断面積と上記第２リム吐水部の流路断面積との合計よりも小さくなるように設定されている請求項１乃至６の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１に記載されているように、洗浄水タンク内の洗浄水を便器本体の導水路に供給した後、この導水路の下流側の便器本体のリムにそれぞれ設けられた２つのリム吐水口のみから洗浄水を吐水する、いわゆる、タンク式の水洗大便器が知られている。
このような従来の水洗大便器においては、リム吐水口以外のゼット吐水口から吐水されるゼット吐水によってボウル内の汚物を押し込む水洗大便器とは異なり、リム吐水口のみから吐水されるリム吐水によってボウル面の洗浄と汚物の押し込みを行う必要があるため、いかにリム吐水の水勢を高めるかが課題の一つとなっている。
また、近年のタンク式の水洗大便器においては、節水化や意匠性の向上の観点からも、洗浄水タンクの上端位置が比較的低い位置に設定されている、いわゆる、ローシルエットタイプの洗浄水タンクが好まれる傾向にある。このため、洗浄水タンクにおいては、その内部の最高水位が比較的低く設定され、洗浄水タンクの底面に作用する水頭圧（ヘッド圧）が低くなる、いわゆる、ロータンク化についてもなされてきている。
【先行技術文献】
【特許文献】
【０００３】
【特許文献１】特開２０１５−１９０２４５号公報
【発明の概要】
【発明が解決しようとする課題】
【０００４】
しかしながら、上述したロータンクタイプの洗浄水タンクにおいては、最高水位が低く設定されて、洗浄水タンクの底面に作用する水頭圧（ヘッド圧）が低く設定される程、洗浄水タンクから便器本体の導水路に供給される洗浄水の水勢が弱められてしまうという問題がある。
したがって、リム吐水についても水勢が弱められてしまうため、洗浄水タンクとして、ロータンクを適用した場合であっても、いかにリム吐水の水勢を高めて維持するかが要請された課題となっている。
また、リム吐水の水勢を高めるために、洗浄水タンクから大量の洗浄水を供給することにより、水勢を確保することも考えられるが、その分、便器本体の導水路の流路断面積や内部空間（容積）を大きくする必要がある。
しかしながら、このように導水路の内部空間を大きく設定した場合には、特に、洗浄水タンクから導水路内に洗浄水が流入する際に導水路内の空気と混ざり合い、気泡が生成してしまうおそれがあるという問題がある。
また、このように導水路内で気泡が含まれた状態の洗浄水がリム吐水口からボウル面に吐水されてしまうと、ボウル面で洗浄水が飛び散ってしまい、ボウル面外に飛散してしまうおそれがあるという問題がある。
特に、気泡が含まれた状態の洗浄水が、ボウル面の曲率半径が比較的小さいボウル面の前端付近を流れる際には、洗浄水の流れが前方から後方に大きく方向転換を強いられるため、ボウル面外への飛散が顕著となるという問題がある。
さらに、気泡が洗浄水に混入されている状態では、異音が発生するおそれがあるという問題もある。
【０００５】
そこで、本発明は、上述した従来技術の問題や要請された課題を解決するためになされたものであり、リム吐水における気泡混入の抑制と水勢の向上との両立を実現することができる水洗大便器を提供することを目的とする。
【課題を解決するための手段】
【０００６】
上述した課題を解決するために、本発明は、洗浄水源から供給される洗浄水によって洗浄されて汚物を排出する水洗大便器であって、便器本体と、上記洗浄水源として上記便器本体の上面後方側に設けられ、洗浄水を貯水する洗浄水タンクであって、その底面の排水口を含む流路を形成するタンク供給部を備え、このタンク供給部から上記便器本体に洗浄水を供給する上記洗浄水タンクと、を有し、上記便器本体は、ボウル形状の汚物受け面と、この汚物受け面の上縁に形成されたリムと、を備えたボウルと、上記ボウルの後方に形成され、上記タンク供給部から供給された洗浄水を上記ボウルの後方に導く後方側導水路と、上記リムのみに設けられて上記ボウル内に洗浄水を吐水して旋回流を形成する吐水部と、上記後方側導水路の下流側に形成され、上記後方側導水路内の洗浄水を上記吐水部に導くリム導水路と、上記ボウルの下方に接続されて汚物を排出する排水路と、を備えており、上記後方側導水路は、上記タンク供給部が接続される入口部と、この入口部の下方に設けられて上記タンク供給部から上記入口部を経て供給された洗浄水を整流化する整流部と、この整流部の下流側に形成されて上記リム導水路と連通するように下方に傾斜する傾斜部と、を備え、上記整流部は、その流路断面積が上記傾斜部の流路断面積よりも小さくなるように設定されていると共に、その流路がほぼ水平になるように形成されていることを特徴としている。
このように構成された本発明においては、タンク供給部から便器本体の後方側導水路の入口部に供給された洗浄水は、後方側導水路の整流部に流入する。この際、整流部については、その流路断面積が傾斜部の流路断面積よりも小さくなるように設定されていると共に、その流路がほぼ水平になるように形成されているため、タンク供給部から便器本体の後方側導水路の入口部を経て整流部に流入した洗浄水は、一気に整流部内全体に広がることになる。
これにより、便器本体の後方側導水路の整流部内の容積空間全体が洗浄水によって占有されるため、洗浄水タンク内の洗浄水がタンク供給部の排水口から流出して便器本体の後方側導水路内に供給される際に、後方側導水路の整流部内に気泡が生成されることを抑制することができる。
さらに、便器本体の後方側導水路の整流部の下流側には、リム導水路に向って下方に傾斜している傾斜部が形成されているため、整流部から傾斜部に流入した洗浄水は、傾斜部を流れる際に、洗浄水の流速を増大させることができる。
したがって、例えば、洗浄水タンクとして、その内部の最高水位が比較的低く、洗浄水タンクの底面に作用する水頭圧（ヘッド圧）が低い、いわゆる、ロータンクを適用した場合であっても、便器本体の後方側導水路内において、気泡の混入を抑制することができると共に、後方側導水路からリム導水路を経て吐水部から吐水される洗浄水（リム吐水）の水勢を維持することができる。
これらの結果、リム吐水における気泡混入の抑制と水勢の向上との両立を実現することができる。
【０００７】
本発明において、好ましくは、上記後方側導水路の整流部の流路断面積は、上記タンク供給部の流路断面積よりも小さくなるように設定されている。
このように構成された本発明においては、後方側導水路の整流部の流路断面積がタンク供給部の流路断面積よりも小さくなるように設定されているため、洗浄水タンクから便器本体の後方側導水路の整流部に流入した洗浄水を早期に満水させることができる。
したがって、便器本体の後方側導水路の整流部内において、気泡の混入を抑制することができるため、整流効果を向上させることができる。
【０００８】
本発明において、好ましくは、上記後方側導水路の傾斜部の底面の最低位置から上記整流部の上面までの鉛直方向直線上の距離（Ｈ１）に対する同一鉛直方向直線上の上記整流部における底面から上面までの距離（Ｈ２）の比（Ｈ２／Ｈ１）は、上記傾斜部における底面の最低位置から上面までの鉛直方向直線上の距離（Ｈ３）に対する同一鉛直方向直線上の上記傾斜部における底面から上面までの鉛直方向の距離（Ｈ４）の比（Ｈ４／Ｈ３）よりも小さくなるように設定されている。
このように構成された本発明においては、便器本体の後方側導水路の整流部の流路内の高さ寸法を傾斜部の流路内の高さ寸法よりも小さく設定することができるため、整流部内の流路断面積を比較的小さく設定しながら、傾斜部内の流路断面積を比較的大きく設定することができる。
また、整流部における下流端よりも上流側の部分について、傾斜部よりも高い位置に設定することができるため、整流部内で気泡の混入が抑制されて位置エネルギーが比較的高く維持された洗浄水が傾斜部を流れることにより、水勢が付与される。
したがって、便器本体の後方側導水路の整流部と傾斜部において、気泡の混入の抑制と水勢付与の両立を実現することができる。
【０００９】
本発明において、好ましくは、上記後方側導水路の傾斜部は、上記整流部に接続される入口から上記リム導水路に接続される出口に向かって下方に傾斜しており、上記傾斜部の底面が水平面に対して下方に傾斜する傾斜角度は、上記傾斜部の上面が水平面に対して下方に傾斜する傾斜角度よりも大きくなるように設定されている。
このように構成された本発明においては、後方側導水路の傾斜部の底面の傾斜角度を傾斜部の上面の傾斜角度に比べて大きくすることにより、傾斜部の流路断面積を下流側程大きく設定することができる。
したがって、後方側導水路の傾斜部の流路内における圧力損失を抑制することができるため、傾斜部内を流れる洗浄水について、十分な水勢を付与することができる。
【００１０】
本発明において、好ましくは、上記吐水部は、上記ボウルの前後方向の中心よりも前方側領域の上記リムに配置されて前方へ吐水し、上記後方側導水路の整流部及び傾斜部は、平面視において互いに前後方向に直線状に設けられている。
このように構成された本発明とは異なる一般的な水洗大便器においては、吐水部がボウルの前後方向の中心よりも前方側領域に位置するリムに配置されている場合、吐水部から前方に吐水された洗浄水は、ボウル内の前端付近に強い水勢で流入した後、ボウル内の前端を通過して後方側に急激に折り返される。
この際、特に、吐水部の位置がボウルの前端側に近づく程、タンク供給部から後方側導水路及びリム導水路を経て吐水部までの経路が長くなるため、この経路内で気泡が発生した場合には、気泡を含む洗浄水が吐水部から吐水され、ボウル内の前端付近に到達してしまうことになる。
さらに、一般的には、タンク供給部から後方側導水路及びリム導水路を経て吐水部までの経路が長くなる程、その流路内における圧力損失が増大し、水勢の低下や洗浄水の供給遅れ（又は無駄水）を招く要因となってしまう。
これらに対し、本発明においては、後方側導水路の整流部及び傾斜部が平面視において互いに前後方向に直線状に設けられているため、少なくとも後方側導水路の区間の流路距離を最短に設定することができる。
したがって、吐水部がボウルの前後方向の中心よりも前方側領域のリムに配置されていても、タンク供給部から後方側導水路及びリム導水路を経て吐水部までの経路を比較的短く設定することができるため、この経路内における気泡の混入や水勢低下を抑制することができる。また、洗浄水の供給遅れ（又は無駄水）を抑制することもできる。
【００１１】
本発明において、好ましくは、上記リム導水路は、その入口部の流路断面積が上記吐水部の流路断面積よりも小さくなるように設定され、上記リム導水路の底面は、上記リム導水路の入口部から上記吐水部に向って下方に傾斜するように形成されている。
このように構成された本発明においては、リム導水路の入口部の流路断面積が吐水部の流路断面積よりも小さくなるように設定されているため、後方側導水路の傾斜部からリム導水路に流入する洗浄水は、吐水部の流路断面積よりも小さい流路断面積のリム導水路の入口部を通過することにより整流化される。そして、リム導水路内の洗浄水は、リム導水路の入口部から吐水部に向って下方に傾斜するリム導水路の底面に沿って流れることにより、水勢が付与されて流速が増大する。
したがって、後方側導水路の下流側のリム導水路内の洗浄水においても、気泡の混入を抑制しながら、水勢を付与することができる。
【００１２】
本発明において、好ましくは、上記吐水部は、上記ボウルの前後方向及び左右方向の中心に対して左右方向の一方側且つ前方側の上記リムに配置されると共に上記ボウルの前方へ向けて洗浄水を吐水して旋回流を形成する第１リム吐水部と、上記ボウル部の前後方向及び左右方向の中心に対して左右方向の他方側且つ後方側の上記リムに配置されると共に上記第１リム吐水部からの旋回流と同一方向の旋回流を形成する第２リム吐水部と、を備え、上記リム導水路は、上記後方側導水路内の洗浄水を上記第１リム吐水部及び上記第２リム吐水部のそれぞれに導く第１リム導水路及び第２リム導水路をそれぞれ備え、上記整流部の流路断面積は、上記第１リム吐水部の流路断面積と上記第２リム吐水部の流路断面積との合計よりも小さくなるように設定されている。
このように構成された本発明においては、便器本体の後方側導水路の整流部の流路断面積が、第１リム吐水部の流路断面積と第２リム吐水部の流路断面積との合計よりも小さくなるように設定されているため、タンク供給部から後方側導水路内に供給された洗浄水は、整流部内で十分に整流化され、傾斜部内で水勢が付与された後、第１リム導水路及び第２リム導水路のそれぞれを経て、第１リム吐水部及び第２リム吐水部のそれぞれに供給される。
したがって、気泡の混入が抑制されて水勢が付与された状態の洗浄水を第１リム吐水部及び第２リム吐水部のそれぞれから吐水することができる。
【発明の効果】
【００１３】
本発明の水洗大便器によれば、リム吐水における気泡混入の抑制と水勢の向上との両立を実現することができる。
【図面の簡単な説明】
【００１４】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図２に示す本発明の一実施形態による水洗大便器において、便器本体の後方側導水路の部分を拡大した部分拡大図である。
【図５】図２に示す本発明の一実施形態による水洗大便器において、便器本体のリムの内周面の部分を拡大した部分拡大図である。
【図６】図１に示す本発明の一実施形態による水洗大便器における各流路断面Ａ〜Ｈを示す図である。
【発明を実施するための形態】
【００１５】
つぎに、図１〜図６を参照して、本発明の一実施形態による水洗大便器について説明する。
まず、図１は、本発明の一実施形態による水洗大便器の概略平面図である。また、図２は、図１のＩＩ−ＩＩ線に沿った断面図であり、図３は、図１のＩＩＩ−ＩＩＩ線に沿った断面図である。
図１〜図３に示すように、本発明の一実施形態による水洗大便器１は、陶器製の便器本体２を備えている。この便器本体２は、上流側から下流側に向かって、後方側導水路４（詳細は後述する）、第１リム導水路６、第２リム導水路８、ボウル１０、及び、排水トラップ管路１２をそれぞれ備えている。
なお、便器本体２については、陶器製以外の樹脂製等であってもよい。
【００１６】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００１７】
つぎに、図１〜図３に示すように、本発明の一実施形態による水洗大便器１は、便器本体２のボウル１０の後方且つ上方に設けられた洗浄水源である洗浄水タンク装置１４を備えている。
この洗浄水タンク装置１４は、洗浄水を貯水する洗浄水タンクとして、貯水した洗浄水について重力を利用して便器本体２の後方側導水路４に供給可能にする、いわゆる、重力給水式の貯水タンク１６を備えている。この貯水タンク１６内の底面には、洗浄水を供給するタンク供給部として、排水口１６ａが形成されていると共に、この排水口１６ａから下方に差し向けられたタンク供給路１６ｂが形成されている。
なお、貯水タンク１６の内部には、代表的には、貯水タンク１６内に洗浄水を給水する給水装置（図示せず）や、貯水タンク１６の排水口１６ａを開閉する排水弁装置（図示せず）等が設けられているが、これらの装置は、従来と同様であるため、具体的な説明については省略する。
また、本実施形態では、例えば、貯水タンク１６として、貯水タンク１６内の最高水位が比較的低く、貯水タンク１６の底面に作用する水頭圧（ヘッド圧）が低い、いわゆる、ロータンクが採用されており、便器洗浄時には、例えば、貯水タンク１６から便器本体２に約３．６［Ｌ］〜約４．８［Ｌ］程度の洗浄水量が供給可能となっている。
【００１８】
つぎに、図１に示す本発明の一実施形態による水洗大便器１においては、便器本体２のボウル１０の平面視において、ボウル１０を前後方向に二等分するように水平左右方向に延びる中心軸線を「Ｘ」で示し、ボウル１０を左右方向に二等分するように水平前後方向に延びる中心軸線を「Ｙ」で示している。
また、図１では、中心軸線Ｘ，Ｙの互いの交点を平面視のボウル１０の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル１０の側面視において、ボウル１０を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。
そして、図１〜図３に示すように、水洗大便器１のボウル１０における中心Ｏ、水平左右方向に延びる中心軸線Ｘ、及び、鉛直方向に延びる中心軸線Ｚに対して、前方側、後方側のそれぞれの領域について、「前方側領域Ｆ」、「後方側領域Ｂ」とそれぞれ定義している。
さらに、図１に示すように、水洗大便器１のボウル１０における中心Ｏ、水平前後方向に延びる中心軸線Ｙに対して、前方から見て左側、右側のそれぞれの領域について、「左側領域Ｌ」、「右側領域Ｒ」とそれぞれ定義している。
【００１９】
まず、図１〜図３に示すように、便器本体２の上流側に位置する後方側導水路４は、詳細については後述するが、便器本体２の上面後方側に設けられた入口４ａから前方のボウル１０の背面側近傍まで延びており、ボウル１０の後方側に形成されている。
また、後方側導水路４の入口４ａには、貯水タンク１６のタンク供給路１６ｂの下端の出口（下流端）が接続されるようになっている。
【００２０】
つぎに、図１及び図２に示すように、第１リム導水路６は、ボウル１０の背面側近傍の後方側導水路４の前端の出口（下流端）からボウル１０の一方側（図１に示すボウル１０の前方から見て左側）に分岐した後、ボウル１０の一方側（図１に示すボウル１０の前方から見て左側）の上縁に形成されたリム１８の内部においてボウル１０の外周面を迂回するように前方に延びている。
また、第１リム導水路６の前端（下流端）は、図１に示すように、ボウル１０の前方側領域Ｆ且つ左側領域Ｌのリム１８に第１リム吐水部として設けられた第１リム吐水口２０となっている。
ここで、図１に示すように、第１リム吐水口２０が配置されるボウル１０の前方側領域Ｆのボウル面Ｓについては、ボウル１０内の前端１０ａ付近において平面視の曲率半径が最小（曲率が最大）となっている。
さらに、図１に示すように、便器本体２の第１リム吐水口２０の前後方向の位置については、図１の平面視及び図２の側面視において、ボウル１０のリム１８の内周面１８ａの前端１８ｂよりも後方で且つ凹部２４の前側壁面の前端２４ａよりも前方のボウル１０の前方側領域Ｆ且つ左側領域Ｌに位置している。
例えば、ボウル１０内の前端１０ａ（リム１８の内周面１８ａの前端１８ｂ）から第１リム吐水口２０までの前後方向の距離Ｙ１とボウル１０内の前端１０ａから後端１０ｂまでの距離Ｙ２との比（Ｙ１／Ｙ２）が１５％〜３５％（Ｙ１／Ｙ２＝１５％〜３５％）になるように設定されている。
なお、この第１リム吐水口２０については、ボウル１０の前方側領域Ｆ且つ右側領域Ｒのリム１８に第１リム吐水部として設けられていてもよい。
【００２１】
さらに、図１及び図３に示すように、第２リム導水路８は、ボウル１０の背面側近傍の後方側導水路４の前端の出口（下流端）からボウル１０の他方側（図１に示すボウル１０の前方から見て右側）に分岐した後、ボウル１０の他方側（図１に示すボウル１０の前方から見て右側）の上縁に形成されたリム１８の内部においてボウル１０の外周面を迂回するように前方に延びている。
その後、第２リム導水路８は、図１に示すように、ボウル１０の右側方付近で後方側にＵターンするように形成されている。そして、この第２リム導水路８の下流端である後端は、図１に示すように、ボウル１０の後方側領域Ｂ且つ右側領域Ｒのリム１８に第２リム吐水部として設けられた第２リム吐水口２２となっている。
すなわち、便器本体２の第２リム吐水口２２の前後方向の位置については、図１の平面視及び図３の側面視において、ボウル１０の水平左右方向の中心軸線Ｘよりも後方で且つ凹部２４の後側壁面の後端２４ｂよりも前方のボウル１０の後方側領域Ｂ且つ右側領域Ｒに位置している。
【００２２】
つぎに、図１〜図３に示すように、便器本体２のボウル１０は、下方から上方に向かって、凹部２４、汚物受け面２６、棚２８、及び、リム１８をそれぞれ備えている。
まず、ボウル１０の凹部２４は、ボウル１０の下方に凹状に形成されており、溜水Ｗ０が収容される溜水部にようになっている。
つぎに、ボウル１０の汚物受け面２６は、凹部２４の上縁からボウル状に形成されており、汚物を受ける面となっている。
また、ボウル１０の棚２８は、汚物受け面２６の外縁とリム１８の下端との間に形成されている。便器本体２の後方側導水路４内の洗浄水は、その下流側の第１リム導水路６及び第２リム導水路８を経てそれぞれの第１リム吐水口２０及び第２リム吐水口２２に導かれるようになっている。
そして、第１リム吐水口２０及び第２リム吐水口２２のそれぞれから吐水された洗浄水は、棚２８上に沿って周方向下流側に導かれ、互いに同一方向の旋回流を形成するようになっている。
なお、本実施形態の水洗大便器１においては、リム１８以外の箇所には吐水部（例えば、ゼット吐水口等）が設けられておらず、リム１８のみに設けられた第１リム吐水口２０及び第２リム吐水口２２の２つの吐水部からリム吐水のみを行う形態について説明するが、第２リム吐水口２２については省略してもよい。
【００２３】
つぎに、図１〜図３に示すように、便器本体２の下流側に位置する排水トラップ管路１２は、ボウル１０の凹部２４の下方から後方に形成され、ボウル１０内の汚物を排出する排水路である。
また、本実施形態の水洗大便器１は、便器本体２のボウル１０内の水の落差による流水作用で汚物を排水トラップ管路１２へ押し流す、いわゆる、「洗い落し式の水洗大便器」である。
しかしながら、本実施形態の水洗大便器１においては、サイホン作用を利用してボウル内の汚物を吸い込んで排水トラップ管路から一気に外部に排出する、いわゆる、「サイホン式の水洗大便器」等、洗い落し式の水洗大便器以外の形態の水洗大便器に対しても適用可能である。
【００２４】
つぎに、図１〜図６を参照して、本実施形態の水洗大便器１の便器本体２における後方側導水路４、及び、その下流側の第１リム導水路６の第１リム吐水口２０までの流路の詳細について説明する。
まず、図４は、図２に示す本発明の一実施形態による水洗大便器において、便器本体の後方側導水路の部分を拡大した部分拡大図である。また、図５は、図２に示す本発明の一実施形態による水洗大便器において、便器本体のリムの内周面の部分を拡大した部分拡大図である。さらに、図６は、図１に示す本発明の一実施形態による水洗大便器における各流路断面Ａ〜Ｈを示す図である。
ここで、図４及び図６においては、後方側導水路４の上流側のタンク供給路１６ｂから下流側の各リム吐水口２０，２２まで流路の各流路断面積［ｍｍ2］をＡ１〜Ａ９で示している。
【００２５】
図４に示すように、後方側導水路４は、上流側から下流側に向って、入口４ａ、整流部３０、及び、傾斜部３２をそれぞれ備えている。
まず、図１及び図４に示すように、後方側導水路４の入口４ａは、便器本体２の上面の後方側の位置で上方に向けて開口しており、この入口４ａには、貯水タンク１６のタンク供給路１６ｂの下端の出口（下流端）が上方からシール部材（図示せず）等を介して水密に接続されるようになっている。
つぎに、図１及び図４に示すように、後方側導水路４の整流部３０は、後方側導水路４の下方に形成された後、前方に向ってほぼ水平に延びるように形成されている。タンク供給路１６ｂから後方側導水路４の入口４ａを経て供給された洗浄水は、この整流部３０に流入した後、整流部３０内を前方に向って流れることにより、整流化されるようになっている。
また、図１及び図４に示すように、後方側導水路４の傾斜部３２は、整流部３０の下流側（整流部３０の前方且つ下方側）に形成されている。この傾斜部３２は、その前端が第１リム導水路６の入口６ａと連通するように、後方から前方に向って下方に傾斜している。
【００２６】
つぎに、図４及び図６に示すように、タンク供給路１６ｂ及び後方側導水路４の整流部３０のそれぞれの流路断面積Ａ１，Ａ２については、後方側導水路４の整流部３０の流路断面積Ａ２が、タンク供給路１６ｂの流路断面積Ａ１よりも小さくなるように設定されている。
【００２７】
つぎに、図４に示すように、後方側導水路４内において、傾斜部３２の底面３２ａの最低高さ位置Ｐ０から整流部３０の上面３０ａの高さ位置Ｐ１までの鉛直方向直線上の距離をＨ１［ｍｍ］とし、その同一鉛直方向直線上の整流部３０における底面３０ｂの高さ位置Ｐ２から上面３０ａの位置Ｐ１までの距離をＨ２［ｍｍ］とする。
また、図４及び図６に示すように、傾斜部３２における底面３２ａの最低高さ位置Ｐ０から上面３２ｂの高さ位置Ｐ３までの鉛直方向直線上の距離をＨ３［ｍｍ］とし、傾斜部３２における底面３２ａの高さ位置Ｐ４から上面３２ｂの高さ位置Ｐ３までの鉛直方向の距離をＨ４［ｍｍ］とする。
これらにより、図４に示すように、後方側導水路４の整流部３０及び傾斜部３２内の流路においては、距離Ｈ１に対する距離Ｈ２の比（Ｈ２／Ｈ１）は、距離Ｈ３に対する距離Ｈ４の比（Ｈ４／Ｈ３）よりも小さくなるように設定されている（（Ｈ２／Ｈ１）＜（Ｈ４／Ｈ３））。
したがって、図４に示すように、後方側導水路４の整流部３０における出口（傾斜部３２の入口）よりも上流側の流路内の高さ寸法Ｈ２は、傾斜部３２における入口（整流部３０の出口）よりも下流側の流路内の高さ寸法Ｈ４よりも小さく設定されている（Ｈ２＜Ｈ４）。
【００２８】
さらに、図１及び図６に示すように、後方側導水路４の整流部３０及び傾斜部３２の各流路については、平面視において互いに前後方向に直線状に設けられており、後方側導水路４の整流部３０及び傾斜部３２のそれぞれの左右方向の最大幅寸法は、互いに同一の幅寸法Ｗ１に設定されている。
したがって、図４及び図６に示すように、これらの後方側導水路４の整流部３０の流路内の幅寸法Ｗ１と高さ寸法Ｈ２とにより形成される整流部３０の流路断面積Ａ２は、傾斜部３２の流路内の幅寸法Ｗ１と高さ寸法Ｈ４とにより形成される傾斜部３２の流路断面積Ａ３よりも小さくなるように設定されている（Ａ２＜Ａ３）。
【００２９】
つぎに、図４に示すように、後方側導水路４の傾斜部３２は、整流部３０に接続される後方の入口３２ｃから第１リム導水路６の入口６ａに接続される出口３２ｄに向かって下方に傾斜している。
また、傾斜部３２の底面３２ａが水平面に対して下方に傾斜する傾斜角度αは、傾斜部３２の上面３２ｂが水平面に対して下方に傾斜する傾斜角度βよりも大きくなるように設定されている（α＞β）。
これにより、傾斜部３２の流路断面積Ａ３については、下流側程大きくなるように設定されている。
【００３０】
つぎに、図１及び図４〜図６に示すように、第１リム導水路６の入口６ａ付近（図１のＣ断面）の流路断面積Ａ４（図４及び図６参照）は、第１リム吐水口２０の流路断面積Ａ８（図６参照）よりも小さくなるように設定されている。
また、図１、図５及び図６に示すように、リム１８の内周面１８ａの外側に形成される第１リム導水路６の底面６ｂは、第１リム導水路６の入口６ａから第１リム吐水口２０に向って下方に傾斜するように形成されている。
さらに、図６に示すように、第１リム導水路６における入口６ａから第１リム吐水口２０までの各流路断面積Ａ４〜Ａ８は、下流側程大きくなるように設定されている（Ａ４＜Ａ５＜Ａ６＜Ａ７＜Ａ８）。
一方、第２リム導水路８についても、第１リム導水路６と同様に、図３に示すように、第２リム導水路８の底面８ｂが第２リム導水路８の入口８ａから第２リム吐水口２２に向って下流側程下方に傾斜するように形成されている。また、第２リム導水路８における入口８ａから第２リム吐水口２２までの流路断面積についても、下流側程大きくなるように設定されている。
【００３１】
つぎに、図６に示すように、後方側導水路４の整流部３０の流路断面積Ａ２は、第１リム吐水口２０の流路断面積Ａ８と第２リム吐水口２２の流路断面積Ａ９との合計（Ａ８＋Ａ９）よりも小さくなるように設定されている（Ａ２＜Ａ８＋Ａ９）。
【００３２】
つぎに、図１〜図６を参照して、本発明の一実施形態による水洗大便器１の作用について説明する。
上述した本発明の一実施形態による水洗大便器１によれば、図１及び図４に示すように、タンク供給路１６ｂから便器本体２の後方側導水路４の入口４ａに供給された洗浄水Ｗは、後方側導水路４の整流部３０内に流入する。
この際、図４に示すように、整流部３０については、その流路断面積Ａ２が傾斜部３２の流路断面積Ａ３よりも小さくなる（Ａ２＜Ａ３）ように設定されていると共に、整流部３０内の流路がほぼ水平になるように形成されている。このため、タンク供給路１６ｂから便器本体２の後方側導水路４の入口４ａを経て整流部３０内に流入した洗浄水は、一気に整流部３０内全体に広がることになる。
これにより、便器本体２の後方側導水路４の整流部３０内の容積空間全体が洗浄水によって占有されるため、貯水タンク１６内の洗浄水が排水口１６ａから流出してタンク供給路１６ｂから便器本体２の後方側導水路４内に供給される際に、後方側導水路４の整流部３０内に気泡が生成されることを抑制することができる。
さらに、便器本体２の後方側導水路４の整流部３０の下流側には、第１リム導水路６に向って下方に傾斜している傾斜部３２が形成されているため、整流部３０から傾斜部３２に流入した洗浄水は、傾斜部３２を流れる際に、洗浄水の流速を増大させることができる。
したがって、例えば、洗浄水タンク装置１４の貯水タンク１６として、その内部の最高水位が比較的低く、洗浄水タンクの底面に作用する水頭圧（ヘッド圧）が低い、いわゆる、ロータンクを適用した場合であっても、便器本体２の後方側導水路４内において、気泡の混入を抑制することができると共に、後方側導水路４から第１リム導水路６及び第２リム導水路８を経て第１リム吐水口２０及び第２リム吐水口２２のそれぞれから吐水される洗浄水（リム吐水）の水勢を維持することができる。
これらの結果、第１リム吐水口２０及び第２リム吐水口２２のそれぞれのリム吐水における気泡混入の抑制と水勢の向上との両立を実現することができる。
【００３３】
つぎに、本実施形態による水洗大便器１によれば、図４及び図６に示すように、便器本体２の後方側導水路４の整流部３０の流路断面積Ａ２がタンク供給路１６ｂの流路断面積Ａ１よりも小さくなるように設定されている。これにより、貯水タンク１６から便器本体２の後方側導水路４の整流部３０内に流入した洗浄水Ｗを早期に満水させることができる。
したがって、便器本体２の後方側導水路４の整流部３０内において、気泡の混入を抑制することができるため、整流効果を向上させることができる。
【００３４】
また、本実施形態による水洗大便器１によれば、図４に示すように、後方側導水路４の整流部３０及び傾斜部３２内の流路において、傾斜部３２の底面３２ａの最低高さ位置Ｐ０から整流部３０の上面３０ａの高さ位置Ｐ１までの鉛直方向直線上の距離Ｈ１に対する、その同一鉛直方向直線上の整流部３０における底面３０ｂの高さ位置Ｐ２から上面３０ａの位置Ｐ１までの距離Ｈ２の比（Ｈ２／Ｈ１）が、傾斜部３２における底面３２ａの最低高さ位置Ｐ０から上面３２ｂの高さ位置Ｐ３までの鉛直方向直線上の距離Ｈ３に対する、傾斜部３２における底面３２ａの高さ位置Ｐ４から上面３２ｂの高さ位置Ｐ３までの鉛直方向の距離Ｈ４の比（Ｈ４／Ｈ３）よりも小さくなるように設定されている（（Ｈ２／Ｈ１）＜（Ｈ４／Ｈ３））。
したがって、図４に示すように、便器本体２の後方側導水路４の整流部３０の流路内の高さ寸法Ｈ２を傾斜部３２の流路内の高さ寸法Ｈ４よりも小さく設定することができるため、整流部３０内の流路断面積Ａ２を比較的小さく設定しながら、傾斜部３２内の流路断面積Ａ３を比較的大きく設定することができる。
また、図４に示すように、整流部３０における下流端よりも上流側の部分について、傾斜部３２よりも高い位置に設定することができるため、整流部３０内で気泡の混入が抑制されて位置エネルギーが比較的高く維持された洗浄水が傾斜部３２を流れることにより、水勢が付与される。
したがって、便器本体２の後方側導水路４の整流部３０と傾斜部３２において、気泡の混入の抑制と水勢付与の両立を実現することができる。
【００３５】
さらに、本実施形態の水洗大便器１によれば、図４に示すように、便器本体２の後方側導水路４の傾斜部３２の底面３２ａの傾斜角度αを傾斜部３２の上面３２ｂの傾斜角度βに比べて大きくすることにより、傾斜部３２の流路断面積Ａ３を下流側程大きく設定することができる。
したがって、後方側導水路４の傾斜部３２の流路内における圧力損失を抑制することができるため、傾斜部３２内を流れる洗浄水について、十分な水勢を付与することができる。
【００３６】
また、本実施形態による水洗大便器１以外の一般的な水洗大便器においては、便器本体の吐水部が、ボウルの前後方向の中心よりも前方側領域に位置するリムに配置されている場合、吐水部から前方に吐水された洗浄水は、ボウル内の前端付近に強い水勢で流入した後、ボウル内の前端を通過して後方側に急激に折り返される。
この際、特に、吐水部の位置がボウルの前端側に近づく程、タンク供給路１６ｂから後方側導水路及びリム導水路を経て吐水部までの経路が長くなるため、この経路内で気泡が発生した場合には、気泡を含む洗浄水が吐水部から吐水され、ボウル内の前端付近に到達してしまうことになる。
さらに、本実施形態による水洗大便器１以外の一般的な水洗大便器においては、タンク供給路１６ｂから後方側導水路及びリム導水路を経て吐水部までの経路が長くなる程、その流路内における圧力損失が増大し、水勢の低下や洗浄水の供給遅れ（又は無駄水）を招く要因となってしまう。
これらに対し、本実施形態による水洗大便器１においては、図１に示すように、便器本体２の後方側導水路４の整流部３０及び傾斜部３２が平面視において互いに前後方向に直線状に設けられているため、少なくとも後方側導水路４の区間の前後方向の流路距離を最短に設定することができる。
したがって、第１リム吐水口２０がボウル１０の前後方向の中心Ｏよりも前方側領域Ｆのリム１８に配置されていても、タンク供給路１６ｂから後方側導水路４及び第１リム導水路６を経て第１リム吐水口２０までの経路を比較的短く設定することができるため、この経路内における気泡の混入や水勢低下を抑制することができる。また、洗浄水の供給遅れ（又は無駄水）を抑制することもできる。
ことができる。
【００３７】
さらに、本実施形態による水洗大便器１によれば、図１及び図４〜図６に示すように、第１リム導水路６の入口６ａの流路断面積Ａ４が第１リム吐水口２０の流路断面積Ａ８よりも小さくなるように設定されている。
また、図１、図５及び図６に示すように、リム１８の内周面１８ａの外側に形成される第１リム導水路６の底面６ｂは、第１リム導水路６の入口６ａから第１リム吐水口２０に向って下方に傾斜するように形成されている。
さらに、図６に示すように、第１リム導水路６における入口６ａから第１リム吐水口２０までの各流路断面積Ａ４〜Ａ８は、下流側程大きくなるように設定されている（Ａ４＜Ａ５＜Ａ６＜Ａ７＜Ａ８）。
これらにより、後方側導水路４の傾斜部３２から第１リム導水路６に流入する洗浄水は、第１リム吐水口２０の流路断面積Ａ８よりも小さい流路断面積Ａ４の第１リム導水路６の入口６ａを通過することにより整流化される。そして、第１リム導水路６内の洗浄水は、第１リム導水路６の入口６ａから第１リム吐水口２０に向って下方に傾斜するリム導水路の底面に沿って流れることにより、水勢が付与されて流速が増大する。
したがって、後方側導水路４の下流側の第１リム導水路６内の洗浄水においても、気泡の混入を抑制しながら、水勢を付与することができる。
同様に、第２リム導水路８についても、図３に示すように、第２リム導水路８の底面８ｂが第２リム導水路８の入口８ａから第２リム吐水口２２に向って下流側程下方に傾斜するように形成されている。また、第２リム導水路８における入口８ａから第２リム吐水口２２までの流路断面積についても、下流側程大きくなるように設定されている。
したがって、後方側導水路４の下流側の第２リム導水路８内の洗浄水においても、気泡の混入を抑制しながら、水勢を付与することができる。
【００３８】
また、本実施形態による水洗大便器１によれば、図６に示すように、便器本体２の後方側導水路４の整流部３０の流路断面積Ａ２が、第１リム吐水口２０の流路断面積Ａ８と第２リム吐水口２２の流路断面積Ａ９との合計（Ａ８＋Ａ９）よりも小さくなるように設定されている（Ａ２＜Ａ８＋Ａ９）。
これにより、図４に示すように、タンク供給路１６ｂから後方側導水路４内に供給された洗浄水Ｗは、整流部３０内で十分に整流化され、傾斜部３２内で水勢が付与された後、第１リム導水路６及び第２リム導水路８のそれぞれを経て、第１リム吐水口２０及び第２リム吐水口２２のそれぞれに供給される。
したがって、気泡の混入が抑制されて水勢が付与された状態の洗浄水を第１リム吐水口６及び第２リム吐水口２２のそれぞれから吐水することができる。
【符号の説明】
【００３９】
１        水洗大便器
２        便器本体
４        後方側導水路
４ａ      後方側導水路の入口（後方側導水路の入口部）
６        第１リム導水路
６ａ      第１リム導水路の入口（リム導水路の入口部）
６ｂ      第１リム導水路の底面（リム導水路の入口部）
８        第２リム導水路
８ａ      第２リム導水路の入口（リム導水路の入口部）
８ｂ      第２リム導水路の底面（リム導水路の入口部）
１０        ボウル
１０ａ      ボウル内の前端
１０ｂ      ボウル内の後端
１２        排水トラップ管路（排水路）
１４        洗浄水タンク装置（洗浄水源、洗浄水タンク）
１６        貯水タンク（洗浄水源、洗浄水タンク）
１６ａ      排水口（タンク供給部）
１６ｂ      タンク供給路（タンク供給部）
１８        リム
１８ａ      リムの内周面
１８ｂ      リムの内周面の前端
２０        第１リム吐水口（吐水部、第１リム吐水部）
２２        第２リム吐水口（吐水部、第２リム吐水部）
２４        凹部
２４ａ      凹部の前側壁面の前端
２４ｂ      凹部の後側壁面の後端
２６        汚物受け面
２８        棚
３０        後方側導水路の整流部
３０ａ      整流部の上面
３０ｂ      整流部の底面
３２        後方側導水路の傾斜部
３２ａ      傾斜部の底面
３２ｂ      傾斜部の上面
３２ｃ      傾斜部の入口
３２ｄ      傾斜部の出口
Ａ１      タンク供給路のＡ断面の流路断面積
Ａ２      後方側リム導水路の整流部のＢ断面の流路断面積
Ａ３      後方側リム導水路の傾斜部の流路断面積
Ａ４      第１リム導水路の入口付近（Ｃ断面）の流路断面積
Ａ５      第１リム導水路のＤ断面の流路断面積
Ａ６      第１リム導水路のＥ断面の流路断面積
Ａ７      第１リム導水路のＦ断面の流路断面積
Ａ８      第１リム導水路のＧ断面の流路断面積
Ａ８      第１リム導水路の第１リム吐水口（Ｈ断面）の流路断面積
Ｂ        ボウルの後方側領域
Ｌ        ボウルの左側領域
Ｆ        ボウルの前方側領域
Ｈ１      後方側リム導水路の傾斜部の底面の最低高さ位置から整流部の上面の高さ位置までの鉛直方向直線上の距離
Ｈ２      後方側リム導水路の整流部における底面の高さ位置から上面の位置までの距離及び高さ寸法
Ｈ３      後方側リム導水路の傾斜部における底面の最低高さ位置から上面の高さ位置
Ｈ４      後方側リム導水路の傾斜部における底面の高さ位置から上面の高さ位置までの鉛直方向の距離及び高さ寸法
Ｏ        ボウルの中心
Ｐ０      後方側導水路の傾斜部の底面の最低高さ位置
Ｐ１      後方側導水路の整流部の上面の高さ位置
Ｐ２      後方側導水路の整流部の底面の高さ位置
Ｐ３      後方側導水路の傾斜部の上面の高さ位置
Ｐ４      後方側導水路の傾斜部の底面の高さ位置
Ｒ        ボウルの右側領域
Ｓ        ボウル面
Ｗ        洗浄水
Ｗ０      溜水
Ｗ１      後方側導水路の整流部及び傾斜部の左右方向の最大幅寸法
Ｘ        ボウルの水平左右方向の中心軸線
Ｙ        ボウルの水平前後方向の中心軸線
Ｙ１      ボウル内の前端から第１リム吐水口までの前後方向の距離
Ｙ２      ボウル内の前端から後端までの距離
Ｚ        ボウルの中心を通る鉛直方向の中心軸線
α        後方側導水路の底面の水平面に対する傾斜角度
β        後方側導水路の上面の水平面に対する傾斜角度
【図１】
2019137994.tif 000003
【図２】
2019137994.tif 000004
【図３】
2019137994.tif 000005
【図４】
2019137994.tif 000006
【図５】
2019137994.tif 000007
【図６】
2019137994.tif 000008